(57)【要約】【課題】  電子機器の状態表示やイベント表示用の３色ＬＥＤユニットを複数個用いる場合に、ＬＥＤの給電ラインを開閉するスイッチの個数を制限しつつ発光色を効率的に制御したり、同時多色発光させたりできるようにする。【解決手段】  制御部８は、ユニット別スイッチ３及び４、赤色用スイッチ５、緑色用スイッチ６並びに青色用スイッチ７の開閉を制御する。そのうちユニット別スイッチ３及び４により３色ＬＥＤユニット１及び２のアノード側の給電ラインをそれぞれ開閉し、ユニット別スイッチ３及び４が同時に閉じないようにする。また、赤色用スイッチ５、緑色用スイッチ６並びに青色用スイッチ７により、赤色ＬＥＤ１Ｒ及び２Ｒ、緑色ＬＥＤ１Ｇ及び２Ｇ、青色ＬＥＤ１Ｂ及び２Ｂのそれぞれ共通にしたカソード側の給電ラインをそれぞれ開閉し、それらの開閉状態をユニット別スイッチ３が閉じている時と４が閉じている時とで変えられるようにする。【選択図】  図１
2005228979.tif 000002
【特許請求の範囲】
【請求項１】
相異なる第１色、第２色及び第３色の発光ダイオードから構成された３色ＬＥＤユニットを複数個有してなる発光手段と、
前記３色ＬＥＤユニットごとに、前記第１色、第２色及び第３色の発光ダイオードの給電ラインを共通に開閉するユニット別スイッチを複数個有してなるユニット別開閉手段と、
前記発光手段に属する前記第１色の発光ダイオードの給電ラインを共通に開閉する第１色用スイッチと、
前記発光手段に属する前記第２色の発光ダイオードの給電ラインを共通に開閉する第２色用スイッチと、
前記発光手段に属する前記第３色の発光ダイオードの給電ラインを共通に開閉する第３色用スイッチと、
前記ユニット別スイッチのうち２以上が同時に閉じないように前記ユニット別開閉手段の開閉を制御することができ、かつ、前記ユニット別スイッチごとに閉じている間の前記第１色用スイッチ、前記第２色用スイッチ及び前記第３色用スイッチのそれぞれの開閉を制御することができる制御手段とを
備えたことを特徴とする多色発光回路。
【請求項２】
前記ユニット別スイッチは前記３色ＬＥＤユニットのアノード側の給電ラインを共通に開閉し、かつ、前記第１色用乃至第３色用スイッチはそれぞれ前記第１色乃至第３色の発光ダイオードのカソード側の給電ラインを共通に開閉することを特徴とする請求項１に記載の多色発光回路。
【請求項３】
前記ユニット別スイッチは前記３色ＬＥＤユニットのカソード側の給電ラインを共通に開閉し、かつ、前記第１色用乃至第３色用スイッチはそれぞれ前記第１色乃至第３色の発光ダイオードのアノード側の給電ラインを共通に開閉することを特徴とする請求項１に記載の多色発光回路。
【請求項４】
前記制御手段は、前記ユニット別スイッチのうち２以上を交互かつ連続的に開閉するように前記ユニット別開閉手段の開閉をさらに制御することにより、２以上の前記３色ＬＥＤユニットが見かけ上同時に発光して視認されるようにしたことを特徴とする請求項１に記載の多色発光回路。
【請求項５】
前記制御手段による前記第１色用乃至第３色用スイッチのそれぞれの開閉の制御は、前記ユニット別スイッチが閉じている間に前記第１色用乃至第３色用スイッチをそれぞれ反復して開閉し、かつ、前記反復する開閉のパルス幅を前記ユニット別スイッチごと及び前記第１色用乃至第３色用スイッチごとに変えられるようにしたことを特徴とする請求項１に記載の多色発光回路。
【請求項６】
前記第１色、第２色及び第３色は、それぞれ赤色、緑色及び青色であることを特徴とする請求項１に記載の多色発光回路。
【請求項７】
相異なる第１色及び第２色の発光ダイオードから構成されたＬＥＤユニットを複数個有してなる発光手段と、
前記ＬＥＤユニットごとに、前記第１色及び第２色の発光ダイオードの給電ラインを共通に開閉するユニット別スイッチを複数個有してなるユニット別開閉手段と、
前記発光手段に属する前記第１色の発光ダイオードの給電ラインを共通に開閉する第１色用スイッチと、
前記発光手段に属する前記第２色の発光ダイオードの給電ラインを共通に開閉する第２色用スイッチと、
前記ユニット別スイッチのうち２以上が同時に閉じないように前記ユニット別開閉手段の開閉を制御することができ、かつ、前記ユニット別スイッチごとに閉じている間の前記第１色用スイッチ及び前記第２色用スイッチのそれぞれの開閉を制御することができる制御手段とを
備えたことを特徴とする多色発光回路。
【請求項８】
相異なる第１色、第２色及び第３色の発光ダイオードから構成された３色ＬＥＤユニットを複数個有してなる発光手段と、
前記３色ＬＥＤユニットごとに、前記第１色、第２色及び第３色の発光ダイオードの給電ラインを共通に開閉するユニット別スイッチを複数個有してなるユニット別開閉手段と、
前記発光手段に属する前記第１色の発光ダイオードの給電ラインを共通に開閉する第１色用スイッチと、
前記発光手段に属する前記第２色の発光ダイオードの給電ラインを共通に開閉する第２色用スイッチと、
前記発光手段に属する前記第３色の発光ダイオードの給電ラインを共通に開閉する第３色用スイッチと、
前記発光手段による発光の条件を設定する手段と、
前記設定された条件に基づいて前記ユニット別スイッチのうち２以上が同時に閉じないように前記ユニット別開閉手段の開閉を制御することができ、かつ、前記ユニット別スイッチごとに閉じている間の前記第１色用スイッチ、前記第２色用スイッチ及び前記第３色用スイッチのそれぞれの開閉を制御することができる制御手段とを
備えたことを特徴とする電子機器。
【請求項９】
前記ユニット別スイッチは前記３色ＬＥＤユニットのアノード側の給電ラインを共通に開閉し、かつ、前記第１色用乃至第３色用スイッチはそれぞれ前記第１色乃至第３色の発光ダイオードのカソード側の給電ラインを共通に開閉することを特徴とする請求項８に記載の電子機器。
【請求項１０】
前記ユニット別スイッチは前記３色ＬＥＤユニットのカソード側の給電ラインを共通に開閉し、かつ、前記第１色用乃至第３色用スイッチはそれぞれ前記第１色乃至第３色の発光ダイオードのアノード側の給電ラインを共通に開閉することを特徴とする請求項８に記載の電子機器。
【請求項１１】
前記制御手段は、前記ユニット別スイッチのうち２以上を交互かつ連続的に開閉するように前記ユニット別開閉手段の開閉をさらに制御することにより、２以上の前記３色ＬＥＤユニットが見かけ上同時に発光して視認されるようにしたことを特徴とする請求項８に記載の電子機器。
【請求項１２】
前記制御手段による前記第１色用乃至第３色用スイッチのそれぞれの開閉の制御は、前記ユニット別スイッチが閉じている間に前記第１色用乃至第３色用スイッチをそれぞれ反復して開閉し、かつ、前記反復する開閉のパルス幅を前記ユニット別スイッチごと及び前記第１色用乃至第３色用スイッチごとに変えられるようにしたことを特徴とする請求項８に記載の電子機器。
【請求項１３】
前記第１色、第２色及び第３色は、それぞれ赤色、緑色及び青色であることを特徴とする請求項８に記載の電子機器。
【請求項１４】
相異なる第１色及び第２色の発光ダイオードから構成されたＬＥＤユニットを複数個有してなる発光手段と、
前記ＬＥＤユニットごとに、前記第１色及び第２色の発光ダイオードの給電ラインを共通に開閉するユニット別スイッチを複数個有してなるユニット別開閉手段と、
前記発光手段に属する前記第１色の発光ダイオードの給電ラインを共通に開閉する第１色用スイッチと、
前記発光手段に属する前記第２色の発光ダイオードの給電ラインを共通に開閉する第２色用スイッチと、
前記発光手段による発光の条件を設定する手段と、
前記設定された条件に基づいて前記ユニット別スイッチのうち２以上が同時に閉じないように前記ユニット別開閉手段の開閉を制御することができ、かつ、前記ユニット別スイッチごとに閉じている間の前記第１色用スイッチ及び前記第２色用スイッチのそれぞれの開閉を制御することができる制御手段とを
備えたことを特徴とする電子機器。
【発明の詳細な説明】
【技術分野】
【０００１】
本発明は発光ダイオード（ＬＥＤ）を用いた多色発光回路及び電子機器に係り、特に３色のＬＥＤから構成された３色ＬＥＤユニットを用いた多色発光回路及び電子機器に関する。
【背景技術】
【０００２】
赤色、緑色及び青色のＬＥＤから構成された３色ＬＥＤユニットは、各ＬＥＤの発光制御により任意の色の発光が可能であることから、各種の電子機器の状態表示や使用中のイベント表示（例えば携帯電話機の着信表示）に多数用いられている。３色ＬＥＤユニットの発光色の制御は、各色ＬＥＤの給電ラインにそれぞれスイッチを設けてその開閉を反復し、閉じている（ＬＥＤに通電している）時間のデューティ比を調節することによって行う。通常の場合スイッチとしては、高速応答性に優れた半導体スイッチを用いる。
【０００３】
この方法によれば、複数個の３色ＬＥＤユニットのそれぞれについて細かい発光色の制御が可能である。しかしその半面、３色ＬＥＤユニット１個当たり３個のスイッチとそれぞれの制御ラインが必要で、３色ＬＥＤユニットを多数用いる必要がある用途では機器の小型化等に不都合な場合がある。
【０００４】
従来の３色ＬＥＤユニットを用いた多色発光回路の制御に関しては、液晶表示装置のバックライト用としての発明がなされている（例えば、特許文献１参照。）。この特許文献１に開示された発明は、３色ＬＥＤユニットの各色ＬＥＤを、共通の信号源から生成され各色ごとにタイミングの異なるゲート信号で開閉された駆動パルスにより駆動し、各ゲート信号の時間幅により発光色を制御するというものである。
【０００５】
また、多色表示可能なＬＥＤ表示器の発光色及び明るさを階調制御するという発明もなされている（例えば、特許文献２参照。）。この特許文献２に開示された発明は、階調データの入力に基づいて非線形にパルス幅変調された信号により各色ＬＥＤを駆動することにより、輝度飽和を解消してグレースケールを適正化するというものである。
【０００６】
しかし、このような従来技術によっても、電子機器の状態表示やイベント表示の目的で３色ＬＥＤユニットを複数個用いる場合に、スイッチの個数を制限しつつ発光色を効率的に制御したり、同時多色発光をさせたりすることはできないという問題があった。
【特許文献１】特開２００３−１０７４２４号公報  （第２、８、９ページ、図１）
【特許文献２】特開平７−３０６６５９号公報  （第２乃至５ページ、図３）
【発明の開示】
【発明が解決しようとする課題】
【０００７】
従来の多色発光回路では、電子機器の状態表示やイベント表示の目的で３色ＬＥＤユニットを複数個用いる場合に、スイッチの個数を制限しつつ発光色を効率的に制御したり、同時多色発光をさせたりすることはできないという問題があった。なお、ここでいう同時多色発光とは、複数個の３色ＬＥＤユニットが異なる色で同時に発光することを指す。
【０００８】
本発明は上記問題を解決するためになされたもので、各ＬＥＤ間でスイッチを適宜共有し、同時多色発光を含め効率的に発光色を制御することのできる多色発光回路及びこれを用いた電子機器を提供することを目的とする。
【課題を解決するための手段】
【０００９】
上記目的を達成するために、本発明の多色発光回路は、相異なる第１色、第２色及び第３色の発光ダイオードから構成された３色ＬＥＤユニットを複数個有してなる発光手段と、前記３色ＬＥＤユニットごとに、前記第１色、第２色及び第３色の発光ダイオードの給電ラインを共通に開閉するユニット別スイッチを複数個有してなるユニット別開閉手段と、前記発光手段に属する前記第１色の発光ダイオードの給電ラインを共通に開閉する第１色用スイッチと、前記発光手段に属する前記第２色の発光ダイオードの給電ラインを共通に開閉する第２色用スイッチと、前記発光手段に属する前記第３色の発光ダイオードの給電ラインを共通に開閉する第３色用スイッチと、前記ユニット別スイッチのうち２以上が同時に閉じないように前記ユニット別開閉手段の開閉を制御することができ、かつ、前記ユニット別スイッチごとに閉じている間の前記第１色用スイッチ、前記第２色用スイッチ及び前記第３色用スイッチの開閉を制御することができる制御手段とを備えたことを特徴とする。
【発明の効果】
【００１０】
本発明によれば、各ＬＥＤ間で共有されたユニット別スイッチ及び各色用スイッチの開閉状態の組み合わせを動的に制御するので、発光色を効率的に制御すると共に、見かけ上の同時多色発光をさせることができる。
【発明を実施するための最良の形態】
【００１１】
以下、図面を参照して本発明の実施例を説明する。
【実施例１】
【００１２】
以下、図１及び図２を参照して、本発明の実施例１を説明する。図１（ａ）は、本発明の実施例１に係る多色発光回路及び該多色発光回路を内蔵した電子機器のブロック図である。図中の１及び２は３色ＬＥＤユニットである。３色ＬＥＤユニット１は、赤色ＬＥＤ１Ｒ、緑色ＬＥＤ１Ｇ及び青色ＬＥＤ１Ｂから構成される。同様に３色ＬＥＤユニット２は、赤色ＬＥＤ２Ｒ、緑色ＬＥＤ２Ｇ及び青色ＬＥＤ２Ｂから構成される。
【００１３】
３は、３色ＬＥＤユニット１の赤色ＬＥＤ１Ｒ、緑色ＬＥＤ１Ｇ及び青色ＬＥＤ１Ｂの給電ラインを、アノード側において共通に開閉するユニット別スイッチである。また、４は３色ＬＥＤユニット２の赤色ＬＥＤ２Ｒ、緑色ＬＥＤ２Ｇ及び青色ＬＥＤ２Ｂの給電ラインを、アノード側において共通に開閉するユニット別スイッチである。なお、ユニット別スイッチ３及び４はユニット別開閉手段を構成する。ユニット別開閉手段はさらに多数のユニット別スイッチから構成されるものとしてもよいが、ここでは説明の便宜上ユニット別スイッチ３と４だけから構成されるものとする。ユニット別スイッチ３又は４により開閉される３色ＬＥＤユニット１又は２のアノード側の給電ラインの始点には、電源電圧“Ｖ”が共通に印加されている。なお、図１（ｂ）は、ユニット別スイッチ３又は４の構成の一例を表す図である。半導体スイッチとして一般的なものであるから、説明は省略する。
【００１４】
次に５は、赤色ＬＥＤ１Ｒ及び赤色ＬＥＤ２Ｒの給電ラインを、カソード側において共通に開閉する赤色用スイッチである。同様に、６は緑色ＬＥＤ１Ｇ及び緑色ＬＥＤ２Ｇの給電ラインをカソード側において共通に開閉する緑色用スイッチであり、７は青色ＬＥＤ１Ｂ及び青色ＬＥＤ２Ｂの給電ラインをカソード側において共通に開閉する青色用スイッチである。各ＬＥＤのカソード側の給電ラインには、それぞれ電流制限用抵抗１１、１２、１３、１４、１５及び１６が設けられている。
【００１５】
各給電ラインは、赤色用スイッチ５、緑色用スイッチ６又は青色用スイッチ７によりそれぞれ開閉され、それらの終点は共通に接地される。なお、図１（ｃ）は、赤色用スイッチ５、緑色用スイッチ６又は青色用スイッチ７の構成の一例を表す図である。半導体スイッチとして一般的なものであるから、説明は省略する。
【００１６】
ユニット別スイッチ３及び４並びに赤色用スイッチ５、緑色用スイッチ６及び青色用スイッチ７の開閉は、制御部８によって制御される。その制御の態様については後述する。以上説明した３色ＬＥＤユニット１から制御部８までの要素により、多色発光回路１０１が構成される。
【００１７】
各スイッチの開閉による３色ＬＥＤユニット１及び２の発光の有無、発光色及び輝度の条件は、発光条件設定部９によって設定され、制御部８に指示される。発光条件設定部９は、多色発光回路１０１と共に電子機器１１１を構成する。本発明と直接関係のない電子機器１１１のその他の構成は図示を省略するが、発光条件設定部９は例えば電子機器１１１の操作入力部及び入力された設定条件を格納するメモリからなると考えることができる。
【００１８】
図１（ｄ）は、電子機器１１１に３色ＬＥＤユニット１及び２が取り付けられた状態の一例を表す図で、この場合の電子機器１１１は２筐体型携帯電話機である。
【００１９】
次に図２を参照して、多色発光回路１０１及び電子機器１１１の動作について説明する。図２（ａ）及び（ｂ）は、これらの動作を基礎付けるユニット別スイッチ３及び４並びに赤色用スイッチ５、緑色用スイッチ６及び青色用スイッチ７の開閉切換えの２例を表すタイムチャートである。図中の数字“３”乃至“７”は、それぞれの符号で表したスイッチに対応する。“Ｃ”はスイッチが閉じた状態、“Ｏ”はスイッチが開いた状態をそれぞれ表す。横軸は時間軸で、図中の右向きに時間が経過し、軸上に“Ｔ０”以降の各時刻が配置されている（図では“Ｔ４”までが表されている。）。なお、各時刻は必ずしも等間隔である必要はなく、それぞれの間隔を発光条件設定部９において設定することができるが、この図は見やすくするため等間隔であるものとして表している。
【００２０】
各スイッチの状態は、発光条件設定部９において予め設定された条件に従って制御部８により制御される。そして時刻“Ｔ０”以前の初期状態においては、すべてのスイッチが開かれている。
【００２１】
まず図２（ａ）において、ユニット別スイッチ３は時刻“Ｔ０”において閉じられ、“Ｔ１”において開かれる。それ以降は、時刻“Ｔ２”、“Ｔ３”、“Ｔ４”、…の度に状態が反転される。一方ユニット別スイッチ４は、時刻“Ｔ１”において初めて閉じられ、それ以降の時刻“Ｔ２”、“Ｔ３”、“Ｔ４”、…の度に状態が反転される。
【００２２】
次に赤色用スイッチ５は、このケースではユニット別スイッチ３と同じタイミングで開閉を繰り返すように制御される。また緑色用スイッチ６は、このケースではユニット別スイッチ４と同じタイミングで開閉を繰り返すように制御される。最後に青色用スイッチ７は、このケースでは開かれた状態に保たれる。
【００２３】
その結果、各時間帯における３色ＬＥＤユニット１及び２の発光は、次のように制御される。まず時刻“Ｔ０”以前の初期状態においてはすべてのスイッチが開かれているから、３色ＬＥＤユニット１及び２を構成するいずれのＬＥＤにも電流が流れず、すべてのＬＥＤが消灯している。この状態を時刻“Ｔ０”の前に、“（消灯）”と表している。
【００２４】
次に時刻“Ｔ０”と“Ｔ１”の間では、ユニット別スイッチ３及び赤色用スイッチ５が閉じられ、他のスイッチは開かれている。そうすると図１において、３色ＬＥＤユニット１の赤色ＬＥＤ１Ｒのみが点灯し、他のＬＥＤは消灯状態を保つ。結果として、３色ＬＥＤユニット１が赤に点灯し、３色ＬＥＤユニット２は消灯している。この状態を時刻“Ｔ０”と“Ｔ１”の間に、“（１赤）”と表している。
【００２５】
続く時刻“Ｔ１”と“Ｔ２”の間では、ユニット別スイッチ４及び緑色用スイッチ６が閉じられ、他のスイッチは開かれている。そうすると図１において、３色ＬＥＤユニット２の緑色ＬＥＤ２Ｇのみが点灯し、他のＬＥＤは消灯状態を保つ。結果として、３色ＬＥＤユニット２が緑に点灯し、３色ＬＥＤユニット１は消灯している。この状態を時刻“Ｔ１”と“Ｔ２”の間に、“（２緑）”と表している。
【００２６】
次の時刻“Ｔ２”と“Ｔ３”の間は、時刻“Ｔ０”と“Ｔ１”の間と同じになり、３色ＬＥＤユニット１が赤に点灯する“（１赤）”の状態をとる。さらに時刻“Ｔ３”と“Ｔ４”の間は、時刻“Ｔ１”と“Ｔ２”の間と同じになり、３色ＬＥＤユニット２が緑に点灯する“（２緑）”の状態をとる。このようにして、“（１赤）”と“（２緑）”の点灯状態が交互に繰り返される。
【００２７】
本発明の実施例１においては、以上述べたようにユニット別スイッチ３と４とが同時に閉じないように制御される。ここで「同時に閉じない」とは、スイッチの状態が開と閉の間で切り換わる際の過渡的な状態を除くものとする。赤色用スイッチ５、緑色用スイッチ６及び青色用スイッチ７のそれぞれの開閉は、ユニット別スイッチ３が閉じている時間とユニット別スイッチ４が閉じている時間とで別々に制御することができる。その結果、例えば図２（ａ）に示すように、ユニット別スイッチ３が閉じている時間には３色ＬＥＤユニット１が赤色に発光してユニット別スイッチ４が消灯し、ユニット別スイッチ４が閉じている時間には３色ＬＥＤユニット２が緑色に発光してユニット別スイッチ３が消灯するような発光色の切換え制御が可能になる。
【００２８】
図２（ａ）において、スイッチの状態を切り換える時刻“Ｔ０”、“Ｔ１”、…の相互の間隔をある程度以上短く（すなわち、切換えの頻度を高く）すると、３色ＬＥＤユニット１は赤色で、３色ＬＥＤユニット２は緑色で共に連続して発光するように見える。すなわち、３色ＬＥＤユニット１及び２が異なる色で見かけ上同時に発光して視認されることとなる。なお、３色ＬＥＤユニット及びユニット別スイッチの個数が３以上であっても、以上説明した発光色の切換え制御が行えることはいうまでもない。
【００２９】
３色ＬＥＤユニット１及び２の発光色を変えることもできる。図２（ｂ）はその一例を示している。図２（ｂ）の時刻“Ｔ０” 以前の初期状態においてはすべてのスイッチが開かれているから、すべてのＬＥＤが消灯しており、この状態を時刻“Ｔ０”の前に、“（消灯）”と表している。
【００３０】
次に時刻“Ｔ０”と“Ｔ１”の間では、ユニット別スイッチ３、赤色用スイッチ５及び緑色用スイッチ６が閉じられ、他のスイッチは開かれている。そうすると図１において、３色ＬＥＤユニット１の赤色ＬＥＤ１Ｒ及び緑色ＬＥＤ１Ｇが共に点灯し、他のＬＥＤは消灯状態を保つ。結果として、３色ＬＥＤユニット１は赤と緑の合成色である黄色に点灯し、３色ＬＥＤユニット２は消灯している。この状態を時刻“Ｔ０”と“Ｔ１”の間に、“（１黄）”と表している。
【００３１】
続く時刻“Ｔ１”と“Ｔ２”の間では、ユニット別スイッチ４、赤色用スイッチ５及び青色用スイッチ７が閉じられ、他のスイッチは開かれている。そうすると図１において、３色ＬＥＤユニット２の赤色ＬＥＤ２Ｒ及び青色ＬＥＤ２Ｂが点灯し、他のＬＥＤは消灯状態を保つ。結果として、３色ＬＥＤユニット２は赤と青の合成色である紫色に点灯し、３色ＬＥＤユニット１は消灯している。この状態を時刻“Ｔ１”と“Ｔ２”の間に、“（２紫）”と表している。時刻“Ｔ２”以降においてこれらの点灯状態が交互に繰り返される点は、図２（ａ）の場合と同じである。また、切換えの頻度をある程度以上高くすると３色ＬＥＤユニット１及び２が異なる色（黄色と紫色）で見かけ上同時に発光して視認される点も、発光色の違いを除き図２（ａ）の場合と同じである。
【００３２】
本発明の実施例１によれば、複数のユニット別スイッチを同時に閉じないようにして高頻度で反復して開閉し、それぞれが閉じている時間ごとに各色用スイッチの開閉状態の組み合わせを変えることにより、複数の３色ＬＥＤユニットがそれぞれ異なる色で見かけ上同時に発光しているように視認させることができる。なお、このような効果を必要としない場合に複数のユニット別スイッチを同時に閉じるように制御することができるものであっても、本発明の技術的範囲に属することはいうまでもない。
【００３３】
必要なスイッチの個数は５で、６個のＬＥＤの給電ラインを独立に開閉する場合より１個少なくて済む（３色ＬＥＤユニットの個数が増えるほどスイッチ数の節約効果は大きくなる。）。なお、３色は通常の場合赤、緑及び青であるが、必要があればこれら以外の色から選択してもよい。
【実施例２】
【００３４】
以下、図３を参照して、本発明の実施例２を説明する。図３は、本発明の実施例２に係る多色発光回路及び該多色発光回路を内蔵した電子機器のブロック図である。図中の３色ＬＥＤユニット１及び２、それらを構成する赤色ＬＥＤ１Ｒ、２Ｒ、緑色ＬＥＤ１Ｇ、２Ｇ、青色ＬＥＤ１Ｂ、２Ｂ、電流制限用抵抗１１、１２、１３、１４、１５及び１６、制御部８並びに発光条件設定部９の各構成は、図１（ａ）と同じであるから同じ符号で表し、それらの説明は省略する。
【００３５】
２１は、赤色ＬＥＤ１Ｒ及び赤色ＬＥＤ２Ｒの給電ラインを、アノード側において共通に開閉する赤色用スイッチである。同様に、２２は緑色ＬＥＤ１Ｇ及び緑色ＬＥＤ２Ｇの給電ラインをアノード側において共通に開閉する緑色用スイッチであり、２３は青色ＬＥＤ１Ｂ及び青色ＬＥＤ２Ｂの給電ラインをアノード側において共通に開閉する青色用スイッチである。各給電ラインの始点には、電源電圧“Ｖ”が共通に印加されている。
【００３６】
次に２４は、３色ＬＥＤユニット１の赤色ＬＥＤ１Ｒ、緑色ＬＥＤ１Ｇ及び青色ＬＥＤ１Ｂの給電ラインを、カソード側において共通に開閉するユニット別スイッチである。また、２５は３色ＬＥＤユニット２の赤色ＬＥＤ２Ｒ、緑色ＬＥＤ２Ｇ及び青色ＬＥＤ２Ｂの給電ラインを、カソード側において共通に開閉するユニット別スイッチである。各給電ラインの終点は共通に接地される。
【００３７】
なお、ユニット別スイッチ２４及び２５はユニット別開閉手段を構成する。ユニット別開閉手段はさらに多数のユニット別スイッチから構成されるものとしてもよいが、ここでは図１（ａ）と同じ理由でユニット別スイッチ２４と２５だけから構成されるものとする。これらのスイッチ２１乃至２５は、図１（ａ）と共通の３色ＬＥＤユニット１から制御部８までの要素と共に多色発光回路１０２を構成し、多色発光回路１０２は発光条件設定部９と共に電子機器１１２を構成する。なお、図１（ａ）の場合と同様、本発明と直接関係のない電子機器１１２のその他の構成は図示を省略する。
【００３８】
実施例１における多色発光回路１０１と、多色発光回路１０２の相違は、ユニット別スイッチ２４及び２５を３色ＬＥＤユニット１及び２のカソード側に設け、赤色用スイッチ２１、緑色用スイッチ２２及び青色用スイッチ２３をアノード側に設けるようにした点である。従って、ユニット別スイッチ２４及び２５を実施例１のユニット別スイッチ３及び４と同様に開閉制御し、かつ、赤色用スイッチ２１、緑色用スイッチ２２及び青色用スイッチ２３をそれぞれ実施例１の赤色用スイッチ５、緑色用スイッチ６及び青色用スイッチ７と同様に開閉制御することにより、実施例１の多色発光回路１０１と同じ効果が得られる。
【００３９】
本発明の実施例２によれば、３色ＬＥＤユニットのアノード側とカソード側の切換え系統を実施例１の場合と入れ換えても、実施例１と同様の効果が得られる。
【実施例３】
【００４０】
以下、図４乃至図６を参照して、本発明の実施例３を説明する。図４は、本発明の実施例３に係る多色発光回路１０３及び該多色発光回路を内蔵した電子機器１１３のブロック図である。多色発光回路１０３の制御部８０は、実施例１と同じ赤色用スイッチ５、緑色用スイッチ５及び青色用スイッチ７の開閉のパルス幅を調整するパルス幅調整部８１を備えている。なお、その他の構成はすべて図１（ａ）と共通であるので同じ符号で表し、それらの説明は省略する。
【００４１】
次に図５を参照して、多色発光回路１０３及び電子機器１１３の動作について説明する。図５は、これらの動作を基礎付けるユニット別スイッチ３及び４並びに赤色用スイッチ５、緑色用スイッチ６及び青色用スイッチ７の開閉切換えの例を表すタイムチャートである。図中の数字“３”乃至“７”、記号“Ｃ”、“Ｏ”及び時刻“Ｔ０”、…の意味は図２（ａ）又は（ｂ）と同じであるから、それらの説明は省略する。
【００４２】
各スイッチの状態は、発光条件設定部９において予め設定された条件に従って制御部８により制御される。そのうち赤色用スイッチ５、緑色用スイッチ６及び青色用スイッチ７は、ユニット別スイッチ３又は４が閉じている時間幅内（これを、単位時間幅という。）で細かく開閉を切り換え、その切換えをパルス波形で表現する場合のパルス幅を単位時間幅ごとに調整できるように、パルス幅調整部８１によって制御される。
【００４３】
まず時刻“Ｔ０”以前の初期状態においては、すべてのスイッチが開かれている。時刻“Ｔ０”以降のユニット別スイッチ３及びユニット別スイッチ４の開閉の切換えは、図２（ａ）又は（ｂ）と同じである。
【００４４】
次に赤色用スイッチ５は、ユニット別スイッチ３が閉じている時刻“Ｔ０”と“Ｔ１”の間、又は“Ｔ２”と“Ｔ３”の間においては、閉じている時間のデューティ比がほぼ半分になるように、パルス幅制御部８１によって開閉を制御される。また、ユニット別スイッチ４が閉じている時刻“Ｔ１”と“Ｔ２”の間、又は“Ｔ３”と“Ｔ４”の間においては、閉じている時間のデューティ比がほぼ４分の３になるように、パルス幅制御部８１によって開閉を制御される。このようにデューティ比を単位時間幅ごとに調整することによって、高頻度で開閉を繰り返す場合の赤色光の輝度を調整することができる。
【００４５】
一方、緑色スイッチ６は、ユニット別スイッチ３が閉じている時刻“Ｔ０”と“Ｔ１”の間、又は“Ｔ２”と“Ｔ３”の間においては、閉じている時間のデューティ比がほぼ４分の３になるように、パルス幅制御部８１によって開閉を制御される。従って、この間の緑色光の輝度は赤色光の輝度よりも高く、３色ＬＥＤユニット１は緑がかった黄色で発光する。図ではこれを、“（１緑黄）”と表している。また、ユニット別スイッチ４が閉じている時刻“Ｔ１”と“Ｔ２”の間、又は“Ｔ３”と“Ｔ４”の間においては緑色スイッチ６は開かれているから、３色ＬＥＤユニット２の発光色に緑色は寄与しない。
【００４６】
これに対して青色スイッチ７は、ユニット別スイッチ３が閉じている時刻“Ｔ０”と“Ｔ１”の間、又は“Ｔ２”と“Ｔ３”の間においては開かれているから、３色ＬＥＤユニット１の発光色に青色は寄与しない。また、ユニット別スイッチ４が閉じている時刻“Ｔ１”と“Ｔ２”の間、又は“Ｔ３”と“Ｔ４”の間においては、閉じている時間のデューティ比がほぼ４分の１になるように、パルス幅制御部８１によって開閉を制御される。従って、この間の青色光の輝度は赤色光の輝度よりも低く、３色ＬＥＤユニット２は赤みがかった紫色で発光する。図ではこれを、“（２赤紫）”と表している。なお、以上述べたデューティ比は一例であって、これに限るものではない。
【００４７】
赤色スイッチ５、緑色スイッチ６及び青色スイッチ７が閉じるパルス幅（デューティ比）を、それぞれ単位時間幅ごとに調整できるようにパルス幅調整部８１を構成することにより、３色ＬＥＤユニット１又は２の発光色を任意に選ぶことができる。３色ＬＥＤユニットの個数は３以上でもよく、かつ、切換えの頻度を高めることにより見かけ上の同時多色発光が可能である点は、実施例１と同じである。また、実施例２と同様に、アノード側とカソード側の切換え系統を実施例１と入れ換えても同様の効果が得られる。
【００４８】
図６は、図４の多色発光回路１０３において、高速のスイッチ切換えに伴う雑音抑制用のキャパシタ３１乃至３８を付加した場合を表す図である。その他の符号は、図４と同じである。実施例２と同様に、アノード側とカソード側の切換え系統を実施例１と入れ換えた場合にも、同様にキャパシタを付加するケースも考えられる。
【００４９】
本発明の実施例３によれば、発光色のバリエーションを増やすことができるという、付加的な効果が得られる。
【実施例４】
【００５０】
以下、図７を参照して、本発明の実施例４を説明する。図７は、本発明の実施例４に係る多色発光回路を内蔵した電子機器の一例である２筐体型携帯電話機のブロック図である。多色発光回路及び発光条件設定部の構成は実施例３と同じであるから、それらの構成は図４と同じ符号を付して表し、説明は省略する。
【００５１】
実施例４に係る電子機器は２筐体型携帯電話機１１４であり、多色発光回路は上筐体側基板１０４及び下筐体側基板１０５に分けて実装されている。すなわち、制御部８０が発光条件設定部９と共に下筐体側基板１０５に実装され、多色発光回路のその他の構成は上筐体側基板１０４に実装される。機能ブロックとして制御部８０に含まれるパルス幅調整部８１を実装的に取り出して上筐体側基板１０４に実装すると、パルス幅調整部８１に出入りするために上下筐体間の連結部を通すべき信号線本数が少なくとも４本（イネーブル、クロック、データ、リセット）となって、図７の場合の３本よりも増加する。したがって、機能ブロックと一致させて下筐体側基板１０５に実装することが適切である。
【００５２】
発光条件設定部９は、機器のステータスや通信イベント等の条件又はデザイン的な条件に応じて３色ＬＥＤユニット１及び２の発光条件を設定することができる。３色ＬＥＤユニット１及び２は、設定された条件に従って、これまでの実施例において説明したように多彩な発光が可能である。
【００５３】
本発明の実施例４によれば、多色発光回路を携帯電話機に搭載して、機器のステータスや通信イベント等の多様な表示が可能となる。また、筐体の一部を装飾的に発光させてデザイン的効果を高めることもできる。
【００５４】
なお、以上述べた実施例はすべて３色ＬＥＤユニットを用いるものとして説明したが、３色ＬＥＤユニットに代えて２色のＬＥＤからなるＬＥＤユニットを用いることも考えられる。その場合は回路規模が縮小し、かつ、多色できるバリエーションが限られるという相違があるものの、これまで述べた実施例と同様に実施することができることは明らかであるから、説明は省略する。
【図面の簡単な説明】
【００５５】
【図１】（ａ）は本発明の実施例１に係る多色発光回路及び電子機器のブロック図、（ｂ）はユニット別スイッチの構成の一例を表す図、（ｃ）は各色用スイッチ７の構成の一例を表す図、（ｄ）は電子機器に３色ＬＥＤユニットが取り付けられた状態の一例を表す図。
【図２】（ａ）、（ｂ）は、それぞれ本発明の実施例１に係るユニット別スイッチ及び各色用スイッチの開閉切換えの例を表すタイムチャート。
【図３】本発明の実施例２に係る多色発光回路及び電子機器のブロック図。
【図４】本発明の実施例３に係る多色発光回路及び電子機器のブロック図。
【図５】本発明の実施例３に係るユニット別スイッチ及び各色用スイッチの開閉切換えの例を表すタイムチャート。
【図６】図４の構成に雑音抑制用のキャパシタを付加した場合を表す図。
【図７】本発明の実施例４に係る多色発光回路及び電子機器（２筐体型携帯電話機）のブロック図。
【符号の説明】
【００５６】
１、２  ３色ＬＥＤユニット
３、４、２４、２５  ユニット別スイッチ
５、２１  赤色用スイッチ
６、２２  緑色用スイッチ
７、２３  青色用スイッチ
８、８０  制御部
９  発光条件設定部
１Ｒ、２Ｒ  赤色ＬＥＤ
１Ｇ、２Ｇ  緑色ＬＥＤ
１Ｂ、２Ｂ  青色ＬＥＤ
１１乃至１６  電流制限用抵抗
３１乃至３８  キャパシタ
１０１乃至１０３  多色発光回路
１０４  上筐体側基板
１０５  下筐体側基板
１１１乃至１１３  電子機器
１１４  ２筐体型携帯電話機
【図１】
2005228979.tif 000003
【図２】
2005228979.tif 000004
【図３】
2005228979.tif 000005
【図４】
2005228979.tif 000006
【図５】
2005228979.tif 000007
【図６】
2005228979.tif 000008
【図７】
2005228979.tif 000009